(57)【特許請求の範囲】
【請求項１】
容器の口部に冠着するキャップ冠着部と、該キャップ冠着部の側面の下縁にリング基部を介して連接するリング部とを備えたキャップを開栓する開栓器具において、前記リング基部に掛合するリング掛止部と、前記キャップ冠着部と当接する支点部と、該支点部を支点として前記リング掛止部を上方に回転させる把手部とを備え、かつ、一端側から順に、前記リング掛止部と、前記支点部と、前記把手部と、を設けていて、
前記リング掛止部は、先端に爪状部を有する鈎型形状であり、前記爪状部は、前記リング部から挿入して、前記リング基部に引っ掛けて掛合し、前記支点部は開栓開始時において、前記キャップ冠着部の上面の縁辺に当接して、前記リング掛止部を上方に回転させる支点となることを特徴とする開栓器具。
【請求項２】
板状体で、長手方向に前記リング掛止部、前記支点部、前記把手部が配列されてなり、前記キャップ冠着部の上面と対向する部分が前記キャップ冠着部の直径以上の幅を有し、かつ、該対向する部分に開口部を設けたこと特徴とする請求項１に記載の開栓器具。
【請求項３】
前記把手部が、前記リング掛止部の先端が向いている前記板状体の面と反対方向に、曲げられていることを特徴とする請求項２に記載の開栓器具。
【請求項４】
容器の口部に冠着するキャップ冠着部と、該キャップ冠着部の側面の下縁にリング基部を介して連接するリング部とを備えたキャップを開栓する開栓器具において、前記リング基部に掛合するリング掛止部と、前記キャップ冠着部と当接する支点部と、該支点部を支点として前記リング掛止部を上方に回転させる把手部とを備え、かつ、板状体で、長手方向に一端側から順に、前記リング掛止部と、前記支点部と、前記把手部と、を設けていて、
前記リング掛止部は、前記板状体の一端の側面を切り欠いたスリット部を有する切り欠き形状であり、前記スリット部を前記リング基部に差し込んで掛合し、前記支点部は、開栓開始時において、前記キャップ冠着部の側面に当接して、前記リング掛止部を上方に回転させる支点となることを特徴とする開栓器具。
【請求項５】
前記板状体は、前記支点部と前記把手部の間で曲げられていることを特徴とする請求項４に記載の開栓器具。
【発明の詳細な説明】
【技術分野】
【０００１】
本発明は、容器の口部に冠着されたキャップを開栓する開栓器具に関する。
【背景技術】
【０００２】
従来、ガラスびん、ＰＥＴボトルに用いられるキャップとして、栓抜きによって開栓する王冠栓、キャップを回して開栓するスクリューキャップの他に、びん口に冠着したアルミ製のキャップ冠着部とこれに連接したリング部からなり、リング部を引っ張ることによってキャップ冠着部を引き裂いて開栓するキャップ（一般に、ティアオフキャップという。）があり、マキシキャップ（登録商標）の名称が知られている。
【０００３】
また、アルミ缶やスチール缶の缶蓋は、缶切りを使わないで開缶できるように、缶蓋にスコア線（弱体化線）とリング部を設けたプルトップ缶やイージーオープン缶が知られている。
【０００４】
これらのキャップや缶蓋は、王冠栓を除いて、すべて開栓や開缶用の器具を使用せずに手指のみで開けられるように構成されている。しかし、小児、高齢者等の手指の力が弱い人でも容易に開けられるようにしたり、短時間に大量に開栓や開缶を行う必要がある場合に手指への負荷を軽減したりするために、従来技術として、開缶器具（例えば、特許文献１〜３を参照。）及び開栓器具（例えば、特許文献４及び５を参照。）が提案されている。
【０００５】
【特許文献１】実登３０８０５６８号公報
【特許文献２】特開２００４‐５９０９９号公報
【特許文献３】特開平１１‐３０１７９１号公報
【特許文献４】特開平１１‐３５０９５号公報
【特許文献５】特開２００２‐３６２６８６号公報
【発明の開示】
【発明が解決しようとする課題】
【０００６】
ティアオフキャップは、びん口に冠着したキャップ冠着部の側面の下縁に連接させたリング部に指を掛けて引っ張り上げることによってアルミ製のキャップ冠着部に設けられたスコア線（弱体化線）を引き裂いて開栓するイージーオープン性のあるキャップであり、近年、普及が進んでおり、それに伴って手指が弱い人でも開栓が容易にできる開栓器具の必要性が高まっている。しかし、特許文献１〜３に開示された技術は、缶蓋用の開缶器具であり、ティアオフキャップの開栓に使用することはできない。また特許文献４に開示された技術は、開栓後のキャップが容器に嵌着している部分を有する場合に、容器とキャップをリサイクルの目的で分別するために分離するための器具であって、ティアオフキャップの開栓の目的には使用できない。さらに、特許文献５に開示された技術は、マキシキャップ（登録商標）の開栓を目的としているが、すでに開栓されてスコア部が裂けているキャップが再度びん口に冠着されている容器から抜栓する装置であって、未開栓のティアオフキャップの開栓をすることはできない。
【０００７】
そこで、本発明の目的は、未だ開栓していないティアオフキャップを、手指への負荷を軽減して、容易に開栓することのできる開栓器具を提供することを目的とする。
【課題を解決するための手段】
【０００８】
本発明者は、ティアオフキャップのリング基部を掛止して作用点とし、キャップ上面と当接する部分を支点として把手を手で把持して操作すると、梃子の原理によって、リング部を引っ張り上げるよりも少ない負荷でティアオフキャップを開栓できることを見出し、本開栓器具を開発するに至った。すなわち、本発明に係る開栓器具では、容器の口部に冠着するキャップ冠着部と、該キャップ冠着部の側面の下縁にリング基部を介して連接するリング部とを備えたキャップを開栓する開栓器具において、前記リング基部に掛合するリング掛止部と、前記キャップ冠着部と当接する支点部と、該支点部を支点として前記リング掛止部を上方に回転させる把手部とを備え、かつ、一端側から順に、前記リング掛止部と、前記支点部と、前記把手部と、を設けていて、前記リング掛止部は、先端に爪状部を有する鈎型形状であり、前記爪状部は、前記リング部から挿入して、前記リング基部に引っ掛けて掛合し、前記支点部は開栓開始時において、前記キャップ冠着部の上面の縁辺に当接して、前記リング掛止部を上方に回転させる支点となることを特徴とする。リング掛止部が鈎型の形状であるため、容易にリング部を通って、リング基部に爪状部を掛けることができる。
【００１０】
本発明に係る開栓器具では、板状体で、長手方向に前記リング掛止部、前記支点部、前記把手部が配列されてなり、前記キャップ冠着部の上面と対向する部分が前記キャップ冠着部の直径以上の幅を有し、かつ、該対向する部分に開口部を設けることが好ましい。開栓器具が左右にふらつくことなく安定して開栓を行うことができる。また、開口部を通して、鈎型形状のリング掛止部の先端が見えるためリング基部に爪状部を引っ掛けやすい。
【００１１】
本発明に係る開栓器具では、前記把手部が、前記リング掛止部の先端が向いている前記板状体の面と反対方向に、曲げられていることが好ましい。リング掛止部に回転を与えるに際して、把手部に対して力を入れやすい持ち方をすることができる。
【００１２】
本発明に係る開栓器具は、容器の口部に冠着するキャップ冠着部と、該キャップ冠着部の側面の下縁にリング基部を介して連接するリング部とを備えたキャップを開栓する開栓器具において、前記リング基部に掛合するリング掛止部と、前記キャップ冠着部と当接する支点部と、該支点部を支点として前記リング掛止部を上方に回転させる把手部とを備え、かつ、板状体で、長手方向に一端側から順に、前記リング掛止部と、前記支点部と、前記把手部と、を設けていて、前記リング掛止部は、前記板状体の一端の側面を切り欠いたスリット部を有する切り欠き形状であり、前記スリット部を前記リング基部に差し込んで掛合し、前記支点部は、開栓開始時において、前記キャップ冠着部の側面に当接して、前記リング掛止部を上方に回転させる支点となることを特徴とする。スリット部によって、容易にリング基部を挟んで掛合することができる。
【００１３】
本発明に係る開栓器具では、前記板状体は、前記支点部と前記把手部の間で曲げられていることが好ましい。リング掛止部に回転を与えるに際して、把手部に対して力を入れやすい持ち方をすることができる
【発明の効果】
【００１４】
本発明に係る開栓器具によれば、未開栓のティアオフキャップを、手指のみで開栓するよりも、手指への負荷を軽減して開栓することができる。若年者、高齢者等の手指が弱い人や、女性等の爪が長い人でも容易に把手の回動動作のみで開栓することができ、短時間に大量の開栓を行う必要がある場合にも、手指への負担を軽減することができる。
【発明を実施するための最良の形態】
【００１５】
添付の図面を参照して本発明の実施の形態を説明する。以下に説明する実施の形態は本発明の構成の例であり、本発明は、以下の実施の形態に制限されるものではない。本発明の効果を奏する限り、種々の形態変更をしてもよい。
【００１６】
図１に第１実施形態に係る開栓器具の斜視概略図、図２に側面図、図３に図２のＡ方向からみた平面図を示す。図１に示すように、第１実施形態に係る開栓器具１は、鈎型形状で先端に爪状部８を有するリング掛止部７と、開栓時にキャップ冠着部の上面に当接して支点の役割をする支点部５と、支点部５を支点としてリング掛止部７を上方に回転させる把手部９を備えている。第１実施形態では、板状体の長手方向に一端側から順に、リング掛止部７、支点部５、把手部９を配列しているが、配列の順序が同じであれば、板状体でなく、例えば、棒状であってもよい。
【００１７】
第１実施形態では、図２及び図３に示すように、鈎状形状のリング掛止部７の先端の肉厚を薄くして、爪状部８を設けている。リング掛止部７の幅は、リング部を通り抜けて、リング基部に差し込むことができるように、リング部のリングの内径より小さいことが好ましい。
【００１８】
第１実施形態では、図３に示すように、キャップ冠着部の上面と対向する部分６（支点部５からリング掛止部７に至る板状体の部分）の幅をキャップ冠着部の直径以上の幅として、かつ、部分６の中央部の開口部３を設けている。開口部３があるので、キャップ冠着部の上面の縁辺に引っ掛かり、キャップ冠着部の上面の２箇所に当接する開口部３の周縁部が支点部５となり、開栓時において開栓器具１が左右にふらつかないため、安定して確実に開栓することができる。また、開栓操作の準備において、開口部３を通して、鈎型形状のリング掛止部の先端が見えるためリング基部に爪状部を容易に引っ掛けることができる。キャップ冠着部の上面と対向する部分６の幅をキャップ冠着部の直径以上の幅とすることによって、開口部３の直径を、開栓時の安定性を得るために十分な大きさにすることができる。なお、開口部３の直径はキャップ冠着部の直径よりも小さいことが好ましい。開口部３の直径がキャップ冠着部の直径よりも大きいとキャップ冠着部が開口部３を通り抜けてしまい、支点部５がキャップ冠着部の上面に当接できない場合がある。
【００１９】
第１実施形態では、図２に示すように、把手部９をリング掛止部７が設けられている面と反対の方向に曲げられている。把手部９をこのように曲げると、支点部５を支点として、リング基部に掛合したリング掛止部７を回転して上方に持ち上げるときに把手部９を把持した手指に力を入れやすく、開栓を容易に行うことができる。
【００２０】
図４に、第２実施形態に係る開栓器具の斜視概略図、図５に側面図、図６に図５のＢ方向からみた平面図を示す。図４に示すように、第２実施形態に係る開栓器具１は、板状体で、長手方向にリング掛止部７、支点部５、把手部９が配列されている。
【００２１】
リング掛止部７は、板状体の一端の片方の側面を切り欠いたスリット部１０を有する切り欠き形状である。スリット部１０をリング基部に差し込んで掛合し、支点部５は、開栓開始時において、キャップ冠着部の側面に当接して、リング掛止部７を上方に回転させる支点となっている。スリット部１０の深さは、リング基部の幅以上であることが好ましい。確実にリング基部を掛合することができる。また、スリット部１０の幅は、リング基部が容易に差し込める大きさであるが、リング基部を確実に掛止して開栓操作のときにずれを生じない大きさである。
【００２２】
第２実施形態では、図６に示すように、スリット部１０は、板状体の片方の一方の側面に１箇所のみ設けられているが、スリット部は、一方の側面に複数個設けてもよく、また両側面にスリット部を設けてもよい。スリット部を複数個設けると、リング基部の位置、形状に合わせて容易に差し込むことのできるスリット部を選択することができ、また両側面に設けると、右利き、左利きを問わずに開栓器具を容易に操作することができる。
【００２３】
第２実施形態では、図５に示すように、板状体は、支点部５と把手部９の間で曲げられている。リング掛止部に回転を与えるに際して、把手部に対して力を入れやすい持ち方をすることができる。
【実施例】
【００２４】
実施例として、本発明の第１実施形態と第２実施形態の開栓器具を試作し、ティアオフキャップ（日本クラウンコルク社製、商品名マキシキャップ、直径２６ｍｍ）を冠着したガラスびんの開栓を行った。
【００２５】
（実施例１）
第１実施形態の開栓器具１（図１を参照。）として、ステンレス製の板状体（厚み２ｍｍ、長さ１００ｍｍ、把手部の幅１０ｍｍ、冠着部上面に対向する部分の幅３０ｍｍ）を曲げて成形し、開口部３の直径を２０ｍｍとし、一端に鈎型形状のリング掛止部７を設けた。
【００２６】
（実施例２）
第２実施形態の開栓器具１（図４を参照。）として、ステンレス製の板状体（厚み２ｍｍ、長さ１４０ｍｍ、幅２５ｍｍ）を曲げて成形し、一端に切り欠き形状のリング掛止部７を設けた。
【００２７】
（開栓結果）
実施例１の開栓の態様を図７〜図９に示す。先ず、図７に示すように、開栓の準備として、開栓器具１のリング掛止部７を、リング部３２を通して、リング基部３１に差し込み掛合する。このとき、開栓器具１のリング掛止部７がリング基部３１と掛合して作用点となり、開口部３の下縁がキャップ冠着部３０の上面に当接して支点部５となり、把手部９が力点となる梃子を形成する。次いで、図８に示すように、把手部９を把持した手指を引き下げることによって、支点部５を支点として、梃子の原理によって、リング掛止部７が上方に回転する。その結果、リング掛止部７に掛合したリング基部３１は引っ張り上げられて、キャップ冠着部３０に設けられたスコア線に沿って、キャップ冠着部３０が引き裂かれる。続いて、図９に示すように、リング掛止部７がさらに上方に回転することによって、最終的にキャップ冠着部３０のスコア線が十分に引き裂かれて、開栓することができた。このときに開栓に要した力は、手指のみによって開栓するよりも十分に軽減され、容易に開栓することができた。
【００２８】
実施例２の開栓の態様を図１０〜図１２に示す。先ず、図１０に示すように、開栓の準備として、開栓器具１のリング掛止部７に設けたスリット部１０をリング基部３１に差し込み掛合する。このとき、開栓器具１のリング掛止部７がリング基部３１と掛合して作用点となり、リング掛止部７に隣接する部分がキャップ冠着部３０の側面に当接して支点部５となり、把手部９が力点となる梃子を形成する。次いで、図１１に示すように、把手部９を把持した手指を引き下げることによって、支点部５を支点として、梃子の原理によって、リング掛止部７が上方に回転する。その結果、スリット部１０に掛合したリング基部３１は引っ張り上げられて、キャップ冠着部３０に設けられたスコア線に沿って、キャップ冠着部３０が引き裂かれる。続いて図１２に示すように、リング掛止部７がさらに上方に回転することによって、最終的にキャップ冠着部３０のスコア線が十分に引き裂かれて、開栓することができた。このときに開栓に要した力は、手指のみによって開栓するよりも十分に軽減され、容易に開栓することができた。
【図面の簡単な説明】
【００２９】
【図１】第１実施形態に係る開栓器具の斜視概略図を示す。
【図２】第１実施形態に係る開栓器具の側面図を示す。
【図３】第１実施形態に係る開栓器具の図２のＡ方向からみた正面図を示す。
【図４】第２実施形態に係る開栓器具の斜視概略図を示す。
【図５】第２実施形態に係る開栓器具の側面図を示す。
【図６】第２実施形態に係る開栓器具の図５のＢ方向からみた正面図を示す。
【図７】第１実施形態に係る開栓器具の実施例の開栓の態様を示し、開栓を準備する段階を示す図である。
【図８】第１実施形態に係る開栓器具の実施例の開栓の態様を示し、開栓を開始した段階を示す図である。
【図９】第１実施形態に係る開栓器具の実施例の開栓の態様を示し、開栓が進行した段階を示す図である。
【図１０】第２実施形態に係る開栓器具の実施例の開栓の態様を示し、開栓を準備する段階を示す図である。
【図１１】第２実施形態に係る開栓器具の実施例の開栓の態様を示し、開栓を開始した段階を示す図である。
【図１２】第２実施形態に係る開栓器具の実施例の開栓の態様を示し、開栓が進行した段階を示す図である。
【符号の説明】
【００３０】
１  開栓器具
３  開口部
５  支点部
６  キャップ冠着部に対向する部分
７  リング掛止部
８  爪状部
９  把手部
１０  スリット部
３０  キャップ冠着部
３１  リング基部
３２  リング部
【図１】
0005090896.tif 000002
【図２】
0005090896.tif 000003
【図３】
0005090896.tif 000004
【図４】
0005090896.tif 000005
【図５】
0005090896.tif 000006
【図６】
0005090896.tif 000007
【図７】
0005090896.tif 000008
【図８】
0005090896.tif 000009
【図９】
0005090896.tif 000010
【図１０】
0005090896.tif 000011
【図１１】
0005090896.tif 000012
【図１２】
0005090896.tif 000013